(57)【特許請求の範囲】
【請求項１】
フィルムロール（１１）からマルチフィルム（Ｍ）を繰り出すフィルム繰出機構（１３）の左右両側に、先端側に押圧輪（５０）と覆土板（５１）とが装着された左右一対の支持アーム（５２）が支軸（５３）廻りに上下揺動自在に支持されて、押圧輪（５０）及び覆土板（５１）が接地される作業姿勢（Ｘ）と押圧輪（５０）及び覆土板（５１）がフィルムロール（１１）の上方に持ち上げられる退避姿勢（Ｙ）とに姿勢変更可能とされるマルチフィルム敷設機のフィルム覆土機構であって、
前記支持アーム（５２）は、作業姿勢（Ｘ）にしたときにフィルムロール（１１）の前方から上方を通って後方に突出するように屈曲形成されていて、マルチフィルム敷設機（１）の機体側に前部が支軸（５３）を介して支持された前アーム部（５７）と、この前アーム部（５７）の後部に前部が連結されかつ押圧輪（５０）と覆土板（５１）とが装着された後アーム部（５８）とを有し、作業姿勢（Ｘ）から前アーム部（５７）を支軸（５３）廻りに上方揺動したときに後アーム部（５８）が前アーム部（５７）に対して接近するように、後アーム部（５８）は前アーム部（５７）に横軸（８３）廻り屈曲自在に連結され、
機体側のツールバー（２４）の左右両端部に支持部材（６０）が具備され、この支持部材（６０）に前アーム部（５７）の前部が支持されると共に、前記後アーム部（５８）と支持部材（６０）との間に４節リンク機構を構成する制御リンク（１０７）が連結され、
前アーム部（５７）が支軸（５３）廻りに揺動するときに押圧輪（５０）及び覆土板（５１）がフィルムロール（１１）の上方で前アーム部（５７）に遠近移動するように、制御リンク（１０７）の一端部が支持部材（６０）の支軸（５３）の後方で第１連結軸（１１３）を介して連結されると共に、制御リンク（１０７）の他端部が後アーム部（５８）の前記横軸（８３）の後方で第２連結軸（１１５）を介して連結されていることを特徴とするマルチフィルム敷設機のフィルム覆土機構。
【請求項２】
前アーム部（５７）と後アーム部（５８）との間に、作業姿勢（Ｘ）時に後アーム部（５８）を前アーム部（５７）に対して離間方向側への伸張を規制する第１ストッパー（８５）が設けられると共に、退避姿勢（Ｙ）時に押圧輪（５０）及び覆土板（５１）が前アーム部（５７）と干渉しないように後アーム部（５８）を前アーム部（５７）に対して近接方向側への屈曲を規制する第２ストッパー（８６）が設けられていることを特徴とする請求項１に記載のマルチフィルム敷設機のフィルム覆土機構。
【請求項３】
前記支持部材（６０）に前後方向に長い支持バー（８８）が設けられ、支持バー（８８）に摺動体（９６）が前後摺動自在に保持され、支持アーム（５２）を作業姿勢（Ｘ）側に揺動したときに摺動体（９６）を後方摺動させて前アーム部（５７）を作業姿勢（Ｘ）方向に付勢すると共に、支持アーム（５２）を退避姿勢（Ｙ）側に揺動したときに摺動体（９６）を前方摺動させて前アーム部（５７）を退避姿勢（Ｙ）方向に付勢するように、摺動体（９６）と前アーム部（５７）との間に付勢部材（１０５）が連結されていることを特徴とする請求項１又は２に記載のマルチフィルム敷設機のフィルム覆土機構。
【発明の詳細な説明】
【技術分野】
【０００１】
本発明は、作業姿勢と退避姿勢とに姿勢変更可能とされたマルチフィルム敷設機のフィルム覆土機構に関するものである。
【背景技術】
【０００２】
従来のマルチフィルム敷設機のフィルム覆土機構には、フィルムロールからマルチフィルムを繰り出すフィルム繰出機構の左右両側に、先端側に押圧輪と覆土板とが装着された左右一対の支持アームが支軸廻りに上下揺動自在に支持されて、押圧輪及び覆土板が接地される作業姿勢と押圧輪及び覆土板がフィルムロールの上方に持ち上げられる退避姿勢とに姿勢変更可能としたものがあり、この場合、支持アームを作業姿勢にしてマルチフィルムを畝の終端まで被覆した後、隣の畝にマルチフィルムを被覆する際には、左右の支持アームの先端部や該先端部に設けたアーム操作レバーを把持して、左右の支持アームを上方に持ち上げて退避姿勢にし、この状態でマルチフィルム敷設機をターンさせた後、左右の支持アームの先端部や該先端部の操作ハンドルを把持して、左右の支持アームを下方に引き押し下げて、再び左右支持アームを作業姿勢にし、次の畝にマルチフィルムを被覆するようにしていた（例えば特許文献１、２）。
【先行技術文献】
【特許文献】
【０００３】
【特許文献１】特開２００１−１２００８２号公報
【特許文献２】実公平６−３１８４９号公報
【発明の概要】
【発明が解決しようとする課題】
【０００４】
しかし、従来の場合、左右の支持アームは作業姿勢にしたときに前後方向に長くなるように１本の棒材により構成されていたので、支持アームを退避姿勢にした際には支持アームの先端部が相当高い位置になるため、支持アームの先端部や先端部に設けたアーム操作レバーを把持して、支持アームを作業姿勢から退避姿勢に持ち上げたり退避姿勢から作業姿勢に引き下ろしたりする作業が非常に面倒であった。
【０００５】
本発明は上記問題点に鑑み、支持アームを作業姿勢と退避姿勢とにより簡単に姿勢変更することができるようにしたマルチフィルム敷設機のフィルム覆土機構を提供することを目的としている。
【課題を解決するための手段】
【０００６】
本発明における課題解決のための具体的手段は、次の通りである。
この技術的課題を解決する本発明の技術的手段は、フィルムロール１１からマルチフィルムＭを繰り出すフィルム繰出機構１３の左右両側に、先端側に押圧輪５０と覆土板５１とが装着された左右一対の支持アーム５２が支軸５３廻りに上下揺動自在に支持されて、押圧輪５０及び覆土板５１が接地される作業姿勢Ｘと押圧輪５０及び覆土板５１がフィルムロール１１の上方に持ち上げられる退避姿勢Ｙとに姿勢変更可能とされるマルチフィルム敷設機のフィルム覆土機構であって、
前記支持アーム５２は、作業姿勢Ｘにしたときにフィルムロール１１の前方から上方を通って後方に突出するように屈曲形成されていて、マルチフィルム敷設機１の機体側に前部が支軸５３を介して支持された前アーム部５７と、この前アーム部５７の後部に前部が連結されかつ押圧輪５０と覆土板５１とが装着された後アーム部５８とを有し、作業姿勢Ｘから前アーム部５７を支軸５３廻りに上方揺動したときに後アーム部５８が前アーム部５７に対して接近するように、後アーム部５８は前アーム部５７に横軸８３廻り屈曲自在に連結されている点にある。
【０００７】
また、本発明の他の技術的手段は、機体側のツールバー２４の左右両端部に支持部材６０が具備され、この支持部材６０に前アーム部５７の前部が支持されると共に、前記後アーム部５８と支持部材６０との間に４節リンク機構を構成する制御リンク１０７が連結され、
前アーム部５７が支軸５３廻りに揺動するときに押圧輪５０及び覆土板５１がフィルムロール１１の上方で前アーム部５７に遠近移動するように、制御リンク１０７の一端部が支持部材６０の支軸５３の後方で第１連結軸１１３を介して連結されると共に、制御リンク１０７の他端部が後アーム部５８の前記横軸８３の後方で第２連結軸１１５を介して連結されている点にある。
【０００８】
また、本発明の他の技術的手段は、前アーム部５７と後アーム部５８との間に、作業姿勢Ｘ時に後アーム部５８を前アーム部５７に対して離間方向側への伸張を規制する第１ストッパー８５が設けられると共に、退避姿勢Ｙ時に押圧輪５０及び覆土板５１が前アーム部５７と干渉しないように後アーム部５８を前アーム部５７に対して近接方向側への屈曲を規制する第２ストッパー８６が設けられている点にある。
【０００９】
また、本発明の他の技術的手段は、前記支持部材６０に前後方向に長い支持バー８８が設けられ、支持バー８８に摺動体９６が前後摺動自在に保持され、支持アーム５２を作業姿勢Ｘ側に揺動したときに摺動体９６を後方摺動させて前アーム部５７を作業姿勢Ｘ方向に付勢すると共に、支持アーム５２を退避姿勢Ｙ側に揺動したときに摺動体９６を前方摺動させて前アーム部５７を退避姿勢Ｙ方向に付勢するように、摺動体９６と前アーム部５７との間に付勢部材１０５が連結されている点にある。
【発明の効果】
【００１０】
本発明によれば、作業者が支持アームの先端部や先端部に設けられたアーム操作レバーを把持して、支持アームを上方に持ち上げて作業姿勢から退避姿勢にすれば、作業姿勢から前アーム部が支軸廻りに上方揺動し、このとき後アーム部が前アーム部に対して横軸廻り屈曲して、後アーム部が前アーム部に対して接近移動するので、支持アームを退避姿勢にする際に、支持アームの先端部である後アーム部の後部が従来のように上方に大きく持ち上がることがなくなり、このため支持アームの先端部や先端部に設けたアーム操作レバーを把持して、支持アームを作業姿勢から退避姿勢に簡単に持ち上げることができるし、退避姿勢から作業姿勢に簡単に引き下ろすことができ、支持アームをより簡単に姿勢変更することが可能になる。
【図面の簡単な説明】
【００１１】
【図１】本発明の第１実施形態を示すマルチフィルム敷設機の後部側の側面図である。
【図２】同マルチフィルム敷設機全体の側面図である。
【図３】同退避姿勢にした状態のフィルム覆土機構の側面図である。
【図４】同マルチフィルム敷設機の後部の平面図である。
【図５】同マルチフィルム敷設機の背面図である。
【図６】同フィルム覆土機構部分の平面図である。
【図７】同支持部材の拡大側面図である。
【図８】同支持部材の拡大平面図である。
【図９】同前アーム部と後アーム部との連結部分の拡大側面図である。
【図１０】同前アーム部と後アーム部との連結部分の拡大平面図である。
【図１１】同前アーム部と後アーム部との連結部分の拡大背面図である。
【図１２】第２実施形態を示す退避姿勢にあるフィルム覆土機構の側面図である。
【発明を実施するための形態】
【００１２】
以下、本発明の実施の形態を図面に基づいて説明する。
図１〜図１１は本発明の第１実施形態を示している。図２において、マルチフィルム敷設機１はロータリ管理機４に装着されており、ロータリ管理機４は、エンジン２と、エンジン２に続くミッションケース３とを備え、これらの上方に左右一対の運転ハンドル５が設けられ、下方に走行駆動輪６が設けられ、ミッションケース３から走行駆動輪６に回転力を伝えて走行できるようになっている。また、ミッションケース３の後方にロータリ耕耘装置７と畝成形器８とが設けられている。
【００１３】
ロータリ管理機４の畝成形器８の後部上方に、マルチフィルム敷設機１が設けられ、マルチフィルム敷設機１は、フィルムロール１１からマルチフィルムＭを繰り出すフィルム
繰出機構１３と、フィルムロール１１の下方に設けられたフィルム押圧ローラ１５と、フィルム繰出機構１３の左右両側に設けられた左右一対のフィルム覆土機構１７とを備えている。
【００１４】
而して、作業者が運転ハンドル５を把持して後ろ向きに移動しながらロータリ管理機４によるロータリ耕耘作業と畝成形作業とマルチフィルム敷設機１によるマルチフィルムＭの敷設作業とを一工程で同時に行うようになっている。
ロータリ耕耘装置７は、ロータリ機枠１９とロータリ耕耘部２０とロータリカバー２１とを備えている。
【００１５】
図１〜図６において、ロータリ耕耘装置７のロータリ機枠１９の後端部に六角筒状の支持筒体２３が固設されており、この支持筒体２３に左右方向に長いツールバー２４が左右に位置調整自在に挿通固定されている。ツールバー２４の左右両端部に六角筒状の取付筒体２５が左右方向に位置調整自在に外嵌固定され、左右の取付筒体２５の外端部上面に角筒状の保持筒体２６がそれぞれ固設されている。
【００１６】
畝成形器８は、側面視Ｌ字状に上方突出した取付板部８ａを介して取付筒体２５に固定されている。畝成形器８の外側方にロータリ耕耘部２０の耕深を決定するゲージ輪２８が配設されている。
フィルム繰出機構１３は、マルチフィルムＭが巻回されたフィルムロール１１と、このフィルムロール１１を左右方向の軸心廻りに回転自在に支持するロール軸３０とを備えている。
【００１７】
また、フィルム繰出機構１３は、ツールバー２４の左右の保持筒体２６にそれぞれ後方突設した左右一対の取付アーム３１と、左右の取付アーム３１の後部に固設した支持筒３２と、支持筒３２に左右方向に位置調整自在に内嵌固定した左右の支持杆３３と、支持杆３３の外端部に取り付けた係合体３４を有するロール支持具３５とを有し、左右の係合体３４間に左右方向に長いロール軸３０が保持され、このロール軸３０にフィルムロール１１が左右方向の軸心廻りに回転自在に支持されており、フィルムロール１１からマルチフィルムＭを繰り出すことができるようになっている。
【００１８】
フィルム押圧ローラ１５は、フィルムロール１１の前側下方に配置され、縦取付杆３９及び前後支持杆４０等を介して機体側に支持されている。
即ち、支持筒体２３に縦取付杆３９が上方突設され、この縦取付杆３９の上部に取付筒４３が上下調整自在に外嵌固定され、取付筒４３に前後支持杆４０が後方に突設され、前後支持杆４０の後部に縦支持杆４４が下方に突設され、この縦支持杆４４に側面視Ｌ字状に屈曲したローラ支持具４５が下方側に突設され、ローラ支持具４５の先端部に左右一対のローラ軸４７が左右方向外方に突設されており、このローラ軸４７にフィルム押圧ローラ１５が軸心廻りに回転自在に外嵌保持され、フィルムロール１１から繰り出されたマルチフィルムＭを畝の上面に押圧するようになっている。
【００１９】
フィルム覆土機構１７は、左右一対あって独立してツールバー２４に装着されており、左右各フィルム覆土機構１７は、先端側に押圧輪５０と覆土板５１とが装着された支持アーム５２をそれぞれ備え、互いに左右対称になっている。
機体側のツールバー２４の左右両端部に支持アーム５２を支持するための支持部材６０が具備されている。各支持部材６０は、左右一対の支持板６１と左右支持板６１の前側下部から左右方向内方に突設された支持横杆６２とを備え、支持横杆６２がツールバー２４の保持筒体２６に左右方向に位置調整自在に挿通固定されており、これにより、支持部材６０がツールバー２４の左右両端部に左右に位置調整自在に取り付けられている。左右の支持板６１と支持横杆６２とは溶接等により互いに固着されている。
【００２０】
各支持アーム５２はその前部（基部）がマルチフィルム敷設機１の機体側に支軸５３廻りに上下揺動自在に支持されて、押圧輪５０及び覆土板５１が接地される作業姿勢Ｘと押圧輪５０及び覆土板５１がフィルムロール１１の上方に持ち上げられる退避姿勢Ｙとに姿勢変更可能とされている。
支持アーム５２は、作業姿勢Ｘにしたときにフィルムロール１１の前方から上方を通って後方に突出するようにその中途部が円弧状に屈曲形成されていて、機体側に前部が支軸
５３を介して支持された前アーム部５７と、押圧輪５０と覆土板５１とが装着された後アーム部５８とを有している。
【００２１】
図７及び図８に示すように、前アーム部５７の前部は左右支持板６１の上部間に挿入され、前アーム部５７の前部に取付孔を介して内嵌した筒体６４を支持板６１間に配置すると共に、左右支持板６１及び筒体６４に挿通したボルトナット６５により左右支持板６１を筒体６４を介して締め付けることにより、前アーム部５７の前部が支持部材６０に左右方向の支軸５３廻りに上下揺動自在に支持されている。
【００２２】
覆土板５１は後アーム部５８の先端部に取付部材６８等を介して回転自在に支持され、押圧輪５０は後アーム部５８の先端部にＵ字杆６９等を介して回転自在に支持され、取付部材６８に支持アーム５２を作業姿勢Ｘと退避姿勢Ｙとに揺動操作するためのアーム操作レバー７０と覆土板５１の傾斜角度を調整するための覆土操作体７１とが設けられている。
【００２３】
押圧輪５０と後アーム部５８との間に弾下機構７４が設けられている。弾下機構７４は、連結杆７５と連結杆７５に外嵌したコイルバネ７６と後アーム部５８に突設したブラケット７７とバネ受け７８とを有し、連結杆７５の上部がブラケット７７に挿通され、連結杆７５の下部が押圧輪５０側に係合されており、弾下機構７４は押圧輪５０を後アーム部５８に対してコイルバネ７６の弾性力で下方に押圧すると共にその弾性力をバネ受け７８の位置変更によって調整できるように構成されている。
【００２４】
図９〜図１１に示すように、前アーム部５７の後部の左右両側面に左右一対の連結板８１が溶接等により外方突出状に固着されている。左右の連結板８１の外方突出部間に後アーム部５８の前部が内嵌挿入され、これら左右の連結板８１及び後アーム部５８の前部にボルトナット８２を挿通して締め付けることにより、前アーム部５７の後部に後アーム部５８の前部が横軸８３廻り屈曲自在に連結され、作業姿勢Ｘから前アーム部５７を支軸５３廻りに上方揺動したときに後アーム部５８が前アーム部５７に対して接近するように、後アーム部５８は前アーム部５７に対して屈曲可能になっている。
【００２５】
左右の連結板８１の後アーム部５８側の幅方向の一端部（後端部）間に第１ストッパー８５が溶接等により固着されている。この第１ストッパー８５は、作業姿勢Ｘ時に後アーム部５８の前部（基部）が前側から接当して後アーム部５８を前アーム部５７に対して離間方向側への伸張を規制する。
左右の連結板８１の前アーム部５７側の幅方向の他端部（前端部）間に第２ストッパー８６が溶接等に固着されている。この第２ストッパー８６は、退避姿勢Ｙ時に後アーム部５８の前部が上側から接当して押圧輪５０及び覆土板５１が前アーム部５７と干渉しないように後アーム部５８を前アーム部５７に対して近接方向側への屈曲を規制する。
【００２６】
図７及び図８に示すように、前記支持部材６０に前後方向に長い支持バー８８が設けられている。支持バー８８は、前部に左右方向内方に屈曲した係合部８９を有し、後部にナット９０が固着されている。左右支持板６１の前部に係止孔９２が設けられ、後部に３つの取付孔９３が係止孔９２を中心とした円弧軌跡上に並んで設けられ、支持バー８８の係合部８９を支持板６１の係止孔９２に挿入係合して、支持板６１のいずれかの取付孔９３にボルト９４を挿通してその挿通端部をナット９０に螺合して締め付けることにより、取付孔９３の選択によって支持バー８８が連結位置を変更可能として支持部材６０に連結されている。
【００２７】
支持バー８８に摺動体９６が前後摺動自在に外嵌保持されている。この摺動体９６は、上部側に結合板部９７を有すると共に、結合板部９７から左右に二股状に分かれて両者で筒部を形成するように円弧状に湾曲した左右一対の嵌合板部９８と、左右の嵌合板部９８からそれぞれ下方に延長突出して互いに左右に離間した左右一対の連結板部９９とを有しており、摺動体９６が左右の嵌合板部９８を介して支持バー８８に前後摺動自在に外嵌され、左右の連結板部９９間に連結ピン１０１が左右方向に挿通されて図示省略の抜止ピン等で抜け止めされている。連結ピン１０１の連結板部９９間に支持バー８８を転動するコロ体１０２が回転自在に外嵌保持され、結合板部９７に後述するコイルバネより構成した付勢部材１０５の一端が係合される係止孔１０３が設けられている。
【００２８】
前アーム部５７の中途部と摺動体９６との間にコイルバネにより構成した付勢部材１０５が連結されており、支持アーム５２を作業姿勢Ｘ側に揺動したときに摺動体９６を後方摺動させて前アーム部５７を作業姿勢Ｘ方向に付勢すると共に、支持アーム５２を退避姿勢Ｙ側に揺動したときに摺動体９６を前方摺動させて前アーム部５７を退避姿勢Ｙ方向に付勢するようになっている。そして、支持アーム５２が作業姿勢Ｘ側と退避姿勢Ｙ側の間を揺動する途中では、摺動体９６が前後摺動することにより付勢部材１０５の伸長が抑制されるようになっている。また、上記取付孔９３の選択によって支持バー８８の連結位置を変更することにより、付勢部材１０５の付勢力を調整できるようになっている。
【００２９】
後アーム部５８と支持部材６０との間に４節リンク機構を構成する制御リンク１０７が連結されている。制御リンク１０７は、左右の支持アーム５２の内側方にあってそれぞれ平面視で支持アーム５２と平行に配置されている。
図７及び図８に示すように、制御リンク１０７の一端部にボルト１０９の頭部が溶接等により固着され、このボルト１０９が支持部材６０の左右支持板６１の支軸５３の後方に取付孔を介して挿通され、このボルト１０９にナット１１０を螺合して締め付けることにより、制御リンク１０７の一端部が第１連結軸１１３で支持部材６０に連結されている。
【００３０】
図９〜図１１に示すように、制御リンク１０７の他端部に第２連結軸１１５が左右方向外方に突設されており、後アーム部５８の中途部に固設した連結筒１１６に第２連結軸１１５を挿通してその突出端部を図示省略の抜止ピン等で抜け止めすることにより、制御リンク１０７の他端部が第２連結軸１１５を介して後アーム部５８に連結されている。
而して、制御リンク１０７は、支持アーム５２の支軸５３廻りの揺動に伴って第１連結軸１１３廻りに揺動し、支持アーム５２を作業姿勢Ｘにしたときに、制御リンク１０７が支持アーム５２に略沿うようになっており、このときに制御リンク１０７は支持アーム５２と同様にフィルムロール１１の前方から上方を通って後方に突出するようにその中途部が円弧状に屈曲形成されている。
【００３１】
また、制御リンク１０７の一端部が支持部材６０の支軸５３の後方で第１連結軸１１３を介して連結されると共に、制御リンク１０７の他端部が後アーム部５８の前記横軸８３の後方で第２連結軸１１５を介して連結されることにより、上記４節リンク機構が、制御リンク１０７と支持板６１の一部と前アーム部５７と後アーム部５８の基部とで構成され、前アーム部５７が支軸５３廻りに上下揺動するときに押圧輪５０及び覆土板５１がフィルムロール１１の上方で前アーム部５７に遠近移動し、押圧輪５０及び覆土板５１がフィルムロール１１の両端部に衝当するのを回避するようになっている。
【００３２】
前記第１実施形態によれば、マルチフィルム敷設機１でマルチフィルムＭの敷設作業をする場合、左右の支持アーム５２を作業姿勢Ｘにして、作業者が運転ハンドル５を把持して後ろ向きに移動すればよく、ロータリ耕耘装置７により圃場が耕耘され、畝成形器８で畝成形がなされ、同時にフィルム繰出機構１３のフィルムロール１１から繰り出されたマルチフィルムＭをフィルム押圧ローラ１５により畝上面に押圧し、マルチフィルムＭの両側部をフィルム覆土機構１７の左右の押圧輪５０で押さえ付けて左右の覆土板５１で覆土し、これにより、畝成形器８で形成した畝上にマルチフィルムＭが被覆される。
【００３３】
このように支持アーム５２を作業姿勢Ｘにした状態では、摺動体９６が支持バー８８の後部に摺動しており、付勢部材１０５が前アーム部５７を作業姿勢Ｘ方向に付勢し、また、第１ストッパー８５が後アーム部５８を前アーム部５７に対して離間方向側への伸張を規制するので、後アーム部５８が前アーム部５７に対して屈曲自在であるにも拘わらず、支持アーム５２乃至前アーム部５７及び後アーム部５８が作業姿勢Ｘに安定に保持される。
【００３４】
そして、ロータリ管理機４乃至マルチフィルム敷設機１で圃場の終端までマルチフィルム敷設作業をした後には、支持アーム５２先端部のアーム操作レバー７０を把持して、左右の支持アーム５２を上方に持ち上げることにより退避姿勢Ｙにし、この状態でロータリ管理機４乃至マルチフィルム敷設機１をターンさせる。
その後、左右の支持アーム５２先端部のアーム操作レバー７０を把持して、左右の支持アーム５２を下方に引き下げることにより、再び左右支持アーム５２を作業姿勢Ｘにし、
マルチフィルムＭを被覆した畝の隣りにロータリ管理機４乃至マルチフィルム敷設機１で新たな畝を形成してマルチフィルムＭを被覆して行けばよい。
【００３５】
上記の如く支持アーム５２を姿勢変更する場合、作業姿勢Ｘから前アーム部５７を支軸５３廻りに上方揺動したときには、後アーム部５８が前アーム部５７に対して横軸８３廻り屈曲して、後アーム部５８が前アーム部５７に対して接近移動するので、後アーム部５８の先端部（後部）は、従来のように高い位置にならずに済み、また、図１に２点鎖線で示すようにアーム操作レバー７０の移動距離Ｌも短くなり、作業者はアーム操作レバー７０を把持して支持アーム５２を作業姿勢Ｘから退避姿勢Ｙに簡単に姿勢変更することができるし、同様にして支持アーム５２を退避姿勢Ｙから作業姿勢Ｘに簡単に姿勢変更することができる。
【００３６】
また、支持アーム５２を姿勢変更する際に、図１に２点鎖線及び１点鎖線で示すように、４節リンク機構を構成する制御リンク１０７が前アーム部５７の支軸５３廻りの揺動に応じて後アーム部５８の横軸８３廻りの屈曲を制御し、前アーム部５７が支軸５３廻りに揺動するときに押圧輪５０及び覆土板５１がフィルムロール１１の上方で前アーム部５７に遠近移動するので、後アーム部５８が前アーム部５７に対して屈曲自在であるにも拘わらず、押圧輪５０又は覆土板５１がフィルムロール１１に衝当するのを防止することができる。
【００３７】
また、支持アーム５２を退避姿勢Ｙ側に揺動したときに、摺動体９６が支持バー８８を前方に摺動して、付勢部材１０５が前アーム部５７を退避姿勢Ｙ方向に付勢するようになり、支持アーム５２が付勢部材１０５の付勢によって退避姿勢Ｙに安定に保持される。
また、姿勢変更する際に、摺動体９６が支持バー８８を前後に摺動することにより、付勢部材１０５が大きく伸長するのを抑制して、支持アーム５２をより軽い力で支軸５３廻りに揺動できるようになり、この点からも支持アーム５２をより一層簡単に姿勢変更することが可能になる。
【００３８】
また、支持アーム５２を退避姿勢Ｙにしたときには、前アーム部５７と後アーム部５８との間に、第２ストッパー８６が後アーム部５８を前アーム部５７に対して近接方向側への屈曲を規制して、押圧輪５０及び覆土板５１が前アーム部５７と干渉するのを防止する。
図１２は本発明の第２実施形態を示している。この第２実施形態は、第１実施形態の制御リンク１０７に代えて不安定切換機構１１７を設けたもので、不安定切換機構１１７は、前アーム部５７の先端部（後部）に突設した取付片１１８と、取付片１１８と後アーム部５８の中途部とに連結したコイルバネ１１９とを備え、前アーム部５７を支軸５３廻りに作業姿勢Ｘ側に揺動しながら後アーム部５８を横軸８３廻りに伸長したとき、コイルバネ１１９が後アーム部５８を前アーム部５７に対して横軸８３廻りに離間方向へ付勢し、前アーム部５７を支軸５３廻りに退避姿勢Ｙ側に揺動しながら後アーム部５８を横軸８３廻りに屈曲したとき、コイルバネ１１９が後アーム部５８を前アーム部５７に対して近接方向に付勢するように構成されている。その他の点は前記第１実施形態の場合と同様の構成である。
【００３９】
なお、前記実施形態では、ロータリ耕耘装置７と畝成形器８と有するロータリ管理機４に装着したマルチフィルム敷設機１にフィルム覆土機構１７を設けて、ロータリ耕耘作業と畝成形作業とマルチフィルムＭの敷設作業とを一工程で同時に行うようにしているが、これに代え、ロータリ耕耘装置７及び畝成形器８を有さない作業機等に装着したマルチフィルム敷設機１にフィルム覆土機構１７を取り付けて、既成の畝にマルチフィルムＭを被覆するようにしてもよい。
【００４０】
また、前記実施形態では、支持アーム５２の先端部にアーム操作レバー７０が設けられているが、これに代えて、アーム操作レバー７０を省略して、支持アーム５２を姿勢変更する際には、支持アーム５２の先端部や該先端部に装着した部材を把持して支持アーム５２を支軸５３廻りに揺動するようにしてもよい。
【符号の説明】
【００４１】
１      マルチフィルム敷設機
１１    フィルムロール
１３    フィルム繰出機構
１７    フィルム覆土機構
２４    ツールバー
５０    押圧輪
５１    覆土板
５２    支持アーム
５３    支軸
５７    前アーム部
５８    後アーム部
６０    支持部材
８３    横軸
８５    第１ストッパー
８６    第２ストッパー
８８    支持バー
９６    摺動体
１０５  付勢部材
１０７  制御リンク
１１３  第１連結軸
１１５  第２連結軸
Ｍ      マルチフィルム
Ｘ      作業姿勢
Ｙ      退避姿勢
【図１】
0005919231.tif 000002
【図２】
0005919231.tif 000003
【図３】
0005919231.tif 000004
【図４】
0005919231.tif 000005
【図５】
0005919231.tif 000006
【図６】
0005919231.tif 000007
【図７】
0005919231.tif 000008
【図８】
0005919231.tif 000009
【図９】
0005919231.tif 000010
【図１０】
0005919231.tif 000011
【図１１】
0005919231.tif 000012
【図１２】
0005919231.tif 000013